【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
光源と、
該光源を駆動する駆動回路部と、
該駆動回路部を収容する収容部を有し、前記光源の発熱を放熱する放熱部と、
前記光源を外部電源に接続する電源接続部と、
該電源接続部と前記放熱部とを連結する連結体とを備える照明装置であって、
前記連結体は、磁器からなり、前記放熱部と前記電源接続部を電気的に絶縁するために電気的絶縁性を有し、かつ前記光源から前記放熱部を介して伝わる熱による変形を防止するために耐熱性を有することを特徴とする照明装置。
【請求項２】
前記連結体と前記放熱部を螺合する第１の螺合構造および／または前記連結体と前記電源接続部を螺合する第２の螺合構造を備えることを特徴とする請求項１に記載の照明装置。
【請求項３】
前記第１の螺合構造および／または前記第２の螺合構造は、前記連結体においておねじが形成されてなることを特徴とする請求項２に記載の照明装置。
【請求項４】
前記おねじは、前記連結体の両端部に形成されていることを特徴とする請求項３に記載の照明装置。
【請求項５】
前記おねじは、前記連結体の外周面の一周以下の範囲に形成してあることを特徴とする請求項３又は請求項４に記載の照明装置。
【請求項６】
前記おねじの凸部はＲ形状であることを特徴とする請求項３から請求項５のいずれか１つに記載の照明装置。
【請求項７】
前記光源は発光ダイオードであることを特徴とする請求項１から請求項６のいずれか１つに記載の照明装置。
【手続補正２】
【補正対象書類名】明細書
【補正対象項目名】発明の名称
【補正方法】変更
【補正の内容】
【発明の名称】照明装置
【手続補正３】
【補正対象書類名】明細書
【補正対象項目名】０００５
【補正方法】変更
【補正の内容】
【０００５】
本発明の照明装置は、光源と、該光源を駆動する駆動回路部と、該駆動回路部を収容する収容部を有し、前記光源の発熱を放熱する放熱部と、前記光源を外部電源に接続する電源接続部と、該電源接続部と前記放熱部とを連結する連結体とを備える照明装置であって、前記連結体は、磁器からなり、前記放熱部と前記電源接続部を電気的に絶縁するために電気的絶縁性を有し、かつ前記光源から前記放熱部を介して伝わる熱による変形を防止するために耐熱性を有することを特徴とする。
本発明にあっては、連結体は、電気的絶縁性が良好であり、かつ融点が高く耐熱性に優れた磁器製であり、光源の発熱を放熱する放熱部と、光源を外部電源に接続する電源接続部とを電気的な絶縁性を確保しながら連結するとともに、光源から放熱部を介して伝わる熱によって変形することを防止し、確実な連結状態を保つことができる。また、磁器は硬度が高いので、外部からの衝撃によって連結体が変形することも併せて防止することができる。磁器製の連結体の表面には、凹凸を滑らかにするために釉薬を塗布するのが望ましい。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の照明装置は、さらに、前記連結体と前記放熱部を螺合する第１の螺合構造および／または前記連結体と前記電源接続部を螺合する第２の螺合構造を備えることを特徴とする。
本発明にあっては、連結体と放熱部を螺合により連結する第１の螺合構造、および／または連結体と電源接続部を螺合により連結する第２の螺合構造を有することにより、それぞれの部材を容易に連結することができる。
【手続補正８】
【補正対象書類名】明細書
【補正対象項目名】００１０
【補正方法】変更
【補正の内容】
【００１０】
本発明の照明装置は、さらに、前記第１の螺合構造および／または前記第２の螺合構造は、前記連結体においておねじが形成されてなることを特徴とする。
また前記おねじは、前記連結体の両端部に形成されていることを特徴とする。
また前記おねじは、前記連結体の外周面の一周以下の範囲に形成してあることを特徴とする。
本発明にあっては、成形精度の低い磁器製の連結体に、好ましくは両端部に、外周面の一周以下の範囲におねじを形成することにより、螺合構造部分の形成不良の発生を軽減して歩留まりを向上させることができる。
【手続補正９】
【補正対象書類名】明細書
【補正対象項目名】００１１
【補正方法】変更
【補正の内容】
【００１１】
本発明の連結体は、さらに、前記おねじの凸部はＲ形状であることを特徴とする。
本発明にあっては、磁器製の連結体に設けられるおねじの凸部をＲ形状とすることによって、角形状と比較して割れ難くすることができる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
本発明の照明装置は、さらに、前記光源は発光ダイオードであることを特徴とする。
本発明にあっては、光源が発熱量の大きい発光ダイオードであっても、放熱部と電源接続部とを、電気的な絶縁性を確保しながら連結するとともに、連結体が熱によって変形することを防止することができる照明装置を提供することができる。
【手続補正１４】
【補正対象書類名】明細書
【補正対象項目名】００１６
【補正方法】変更
【補正の内容】
【００１６】
本発明によれば、放熱部と電源接続部とを、連結体によって電気的な絶縁性を確保しながら連結するとともに、前記連結体が熱によって変形することを防止することが可能である。
【手続補正１５】
【補正対象書類名】明細書
【補正対象項目名】００１７
【補正方法】変更
【補正の内容】
【００１７】
以下、本発明の放熱部と口金（電源接続部）を連結する連結体を備えた照明装置の実施の形態について、図面を用いて説明する。なお、以下の実施の形態の説明において、光源としてＬＥＤを用いた照明装置を例示するが、光源はＬＥＤに限定されず、他の半導体発光素子、ＥＬ（Ｅｌｅｃｔｒｏｌｕｍｉｎｅｓｃｅｎｃｅ）等であってもよい。
【手続補正１６】
【補正対象書類名】明細書
【補正対象項目名】００３７
【補正方法】変更
【補正の内容】
【００３７】
次に、連結体１１、連結体１１と放熱部３を連結するための螺合構造及び連結体１１と口金１０を連結するための螺合構造について詳細に説明する。
連結体１１は、駆動回路部７と口金１０とを電気的に接続する配線を挿通させる挿通路（図示せず）を有し、連結体１１の両端部は放熱部３の収容部８と口金１０の形状と整合した筒形状である。上述したように、放熱部３は、熱源からの熱を放熱することを目的として金属が用いられているので、導電性を有することとなり、連結体１１は、商用電源に電気的に接続される口金１０と導電部材である放熱部３の間で電気的な絶縁性を有していることが必要である。また、連結体１１は、熱源である光源モジュール２から伝達される熱によって溶融等して変形することを防止するために耐熱性を有していることが必要である。連結体１１は、絶縁性及び耐熱性を併せ持つ磁器によって構成されている。
【手続補正１７】
【補正対象書類名】明細書
【補正対象項目名】００３８
【補正方法】変更
【補正の内容】
【００３８】
磁器は、電気的な絶縁性を有するとともに、融点が略１２００℃であるので、従来の電球の連結体に用いられていた合成樹脂（例えばプラスチックの融点は１００℃〜２００℃程度）と比較して高く、高い耐熱性を有している。さらに、磁器は、合成樹脂と比較して熱伝導率も高い（例えばプラスチックと比較すると約１０倍程度）ので、連結体１１を放熱体として作用させることができる。
【手続補正１８】
【補正対象書類名】明細書
【補正対象項目名】００５６
【補正方法】変更
【補正の内容】
【００５６】
以上の実施の形態において、磁器製の連結体１１は、電源の供給を受けて機能する光源モジュール２の発熱を放熱する放熱部３と、光源モジュール２を外部電源に接続するための電源接続部としての口金１０とを電気的に絶縁しながら連結するとともに、光源モジュール２から放熱部３を介して伝わる熱による変形を防止することが可能である。
また、以上の実施の形態において、電球型の照明装置を例示して説明したが、これに限定されず、屋外のイルミネーションに用いられる小型の豆電球、スポットライト、ダウンライト等の一般照明装置にも適用することができる。